(57)【要約】【課題】デフォッガが形成されたリアガラスにＡＭ，ＦＭアンテナを設けたガラスアンテナ装置において、感度および指向性を向上させることにある。【解決手段】車両のリアガラスに設けられたデフォッガ１６と、リアガラスのデフォッガ以外のスペースに設けられたＡＭアンテナ１２と、デフォッガとＡＭアンテナとの間のスペースに設けられたＦＭアンテナ１４と、ＡＭアンテナおよびＦＭアンテナにより受信された信号を増幅する２入力増幅器２２と、ＡＭアンテナの給電端子１２ａと増幅器２２との間を接続するＡＭリード線１２ｂと、ＦＭアンテナの給電端子１４ａと増幅器２２との間を接続するＦＭリード線１４ｂと、ＡＭ給電端子の近くのＡＭリード線中に挿入されたコイル素子２６とを備える。【選択図】図２
2006033498.tif 000002
【特許請求の範囲】
【請求項１】
車両のリアガラスに設けられたデフォッガと、
前記リアガラスの前記デフォッガ以外のスペースに設けられたＡＭアンテナと、
前記デフォッガと前記ＡＭアンテナとの間のスペースに設けられたＦＭアンテナと、
前記ＡＭアンテナおよびＦＭアンテナにより受信された信号を増幅する２入力増幅器と、
前記ＡＭアンテナの給電端子と前記増幅器との間を接続するＡＭリード線と、
前記ＦＭアンテナの給電端子と前記増幅器との間を接続するＦＭリード線と、
前記ＡＭ給電端子の近くの前記ＡＭリード線中に挿入されたコイル素子とを備え、
前記ＦＭアンテナにより受信された信号を増幅するときに、前記コイル素子は、前記ＡＭリード線を高周波的に開放して、前記ＡＭアンテナからの信号を遮断する、車両用ガラスアンテナ装置。
【請求項２】
車両のリアガラスに設けられたデフォッガと、
前記リアガラスの前記デフォッガ以外のスペースに設けられたＡＭアンテナと、
前記デフォッガと前記ＡＭアンテナとの間のスペースに設けられたＦＭアンテナと、
前記ＡＭアンテナおよびＦＭアンテナにより受信された信号を増幅する２入力増幅器と、
前記ＡＭアンテナの給電端子の近くのリアガラス上に設けられた端子ベースと、
前記ＡＭアンテナの給電端子と前記端子ベースとの間に設けられたコイル素子と、
前記端子ベースと、前記増幅器との間を接続するＡＭリード線と、
前記ＦＭアンテナの給電端子と前記増幅器との間を接続するＦＭリード線とを備え、
前記ＦＭアンテナにより受信された信号を増幅するときに、前記コイル素子は、前記ＡＭリード線を高周波的に開放して、前記ＡＭアンテナからの信号を遮断する、車両用ガラスアンテナ装置。
【請求項３】
車両のリアガラスに設けられたデフォッガと、
前記リアガラスの前記デフォッガ以外のスペースに設けられたＡＭアンテナと、
前記デフォッガと前記ＡＭアンテナとの間のスペースに設けられたＦＭアンテナと、
前記ＡＭアンテナおよびＦＭアンテナにより受信された信号を増幅する２入力増幅器と、
コイル素子が設けられた、前記ＡＭアンテナの給電端子と、
前記ＡＭアンテナの給電端子と増幅器との間を接続するＡＭリード線と、
前記ＦＭアンテナの給電端子と前記増幅器との間を接続するＦＭリード線とを備え、
前記ＦＭアンテナにより受信された信号を増幅するときに、前記コイル素子は、前記ＡＭリード線を高周波的に開放して、前記ＡＭアンテナからの信号を遮断する、車両用ガラスアンテナ装置。
【請求項４】
前記コイル素子のインダクタンスは、１．０μＨ〜６．８μＨである、請求項１，２または３に記載の車両用ガラスアンテナ装置。
【発明の詳細な説明】
【技術分野】
【０００１】
本発明は、車両の窓ガラスに設けられるガラスアンテナを備える車両用ガラスアンテナ装置に関し、特にデフォッガが形成されたリアガラスに設けられるガラスアンテナを備える車両用ガラスアンテナ装置に関する。
【背景技術】
【０００２】
防曇用のデフォッガが設けられたリアガラス上に形成されたＡＭアンテナおよびＦＭアンテナよりなる車両用ガラスアンテナ装置の一例が、特許文献１に開示されている。図１は、特許文献１に記載されたガラスアンテナ装置を示す。
【０００３】
このガラスアンテナ装置では、リアガラス１０上に、ＡＭアンテナ１２と、ＦＭアンテナ１４と、防曇用デフォッガ１６とが形成されている。
【０００４】
ＡＭアンテナ１２は、水平方向の複数本の直線状導体がフォーク状に配列されたパターンにより形成されている。ＡＭアンテナの感度は、パターンの面積で決まるので、デフォッガ１６上のリアガラスのスペースの大半を占有するように設けられる。
【０００５】
ＦＭアンテナ１４は、ＡＭアンテナ１２とデフォッガ１６との間のリアガラスのスペースに、１本の水平方向の直線状導体で形成される。
【０００６】
デフォッガ１６は、リアガラス１０の両サイドに上下方向に配置され、互いに向き合うバスバー１６ａ，１６ｂと、バスバー１６ａ，１６ｂ間に水平方向に配置した複数の熱線１６ｃと、複数の熱線をつなぐ短絡線１６ｄとを備えている。バスバー１６ａ，１６ｂは、チョークコイル１８ａ，１８ｂを介して直流電源２０が接続されている。
【０００７】
ＡＭアンテナ１２の給電端子１２ａは、リード線１２ｂを経て、ＦＭアンテナ１４の給電端子１４ａは、リード線１４ｂを経て２入力増幅器２２に接続されている。２入力増幅器２２は、同軸ケーブル２４を経てラジオ（図示せず）に接続されている。
【特許文献１】特表平１５−５００８７０号公報
【発明の開示】
【発明が解決しようとする課題】
【０００８】
リアガラスのデフォッガ以外のスペースにＡＭ，ＦＭ用アンテナを設定し、２入力増幅器を用いるとき、ＦＭアンテナは、ある角度における指向性が著しく悪化する。というのは、ＦＭアンテナは、（１）ＦＭアンテナ素子（リード線を含む）の長さ、（２）熱線との容量結合、（３）ＡＭアンテナとの容量結合により、感度をチューニングしているが、ＡＭアンテナが車両ボディーに近くなると、ＦＭアンテナの指向性に影響を及ぼすためである。
【０００９】
本発明の目的は、デフォッガが形成されたリアガラスにＡＭ，ＦＭアンテナを設けたガラスアンテナ装置において、指向性を向上させることにある。
【課題を解決するための手段】
【００１０】
本発明の第１の態様の車両用ガラスアンテナ装置は、車両のリアガラスに設けられたデフォッガと、リアガラスのデフォッガ以外のスペースに設けられたＡＭアンテナと、デフォッガとＡＭアンテナとの間のスペースに設けられたＦＭアンテナと、ＡＭアンテナおよびＦＭアンテナにより受信された信号を増幅する２入力増幅器と、ＡＭアンテナの給電端子と増幅器との間を接続するＡＭリード線と、ＦＭアンテナの給電端子と増幅器との間を接続するＦＭリード線と、ＡＭ給電端子の近くのＡＭリード線中に挿入されたコイル素子とを備え、前記ＦＭアンテナにより受信された信号を増幅するときに、前記コイル素子は、前記ＡＭリード線を高周波的に開放して、前記ＡＭアンテナからの信号を遮断することを特徴とする。
【００１１】
本発明の第２の態様の車両用ガラスアンテナ装置は、車両のリアガラスに設けられたデフォッガと、リアガラスのデフォッガ以外のスペースに設けられたＡＭアンテナと、デフォッガとＡＭアンテナとの間のスペースに設けられたＦＭアンテナと、ＡＭアンテナおよびＦＭアンテナにより受信された信号を増幅する２入力増幅器と、ＡＭアンテナの給電端子の近くのリアガラス上に設けられた端子ベースと、ＡＭアンテナの給電端子と端子ベースとの間に設けられたコイル素子と、端子ベースと、増幅器との間を接続するＡＭリード線と、ＦＭアンテナの給電端子と増幅器との間を接続するＦＭリード線とを備え、前記ＦＭアンテナにより受信された信号を増幅するときに、前記コイル素子は、前記ＡＭリード線を高周波的に開放して、前記ＡＭアンテナからの信号を遮断することを特徴とする。
【００１２】
本発明の第３の態様の車両用ガラスアンテナ装置は、車両のリアガラスに設けられたデフォッガと、リアガラスのデフォッガ以外のスペースに設けられたＡＭアンテナと、デフォッガとＡＭアンテナとの間のスペースに設けられたＦＭアンテナと、ＡＭアンテナおよびＦＭアンテナにより受信された信号を増幅する２入力増幅器と、コイル素子が設けられた、ＡＭアンテナの給電端子と、ＡＭアンテナの給電端子と増幅器との間を接続するＡＭリード線と、ＦＭアンテナの給電端子と増幅器との間を接続するＦＭリード線とを備え、前記ＦＭアンテナにより受信された信号を増幅するときに、前記コイル素子は、前記ＡＭリード線を高周波的に開放して、前記ＡＭアンテナからの信号を遮断することを特徴とする。
【００１３】
以上の各態様の車両用ガラスアンテナ装置において、コイル素子のインダクタンスは、１．０μＨ〜６．８μＨとするのが好適である。
【発明の効果】
【００１４】
本発明の車両用ガラスアンテナ装置によれば、コイル素子を設けることで、ＡＭリード線を高周波的に開放させ、ＡＭアンテナによってＦＭ指向性に影響を及ぼすのを防ぐことができるので、ＦＭ帯域の指向性が良い。ここに、ＦＭ帯域の指向性が良いとは、ほぼ水平方向の全周囲において１５ｄＢ以上の感度が、好ましくは２０ｄＢ以上、より好ましくは３０ｄＢ以上の感度が保持されていることを意味する。
【発明を実施するための最良の形態】
【００１５】
図２は、本発明のガラスアンテナ装置の一実施例を示す図である。図１の構造のガラスアンテナ装置において、ＡＭ給電端子１２ａと２入力増幅器２２との間のリード線１２ｂにコイル２６を挿入したものである。その他の構造は、図１の構造に同じであり、したがって同一の構成要素には同一の参照番号を付して示す。
【００１６】
コイル２６は、ＡＭリード線１２ｂを高周波的に開放させることを目的とするものである。ＡＭリード線１２ｂが高周波的に開放されると、ＡＭアンテナにより受信された高周波がコイルにより遮断されるので、ＦＭアンテナ１４の指向性に与える悪影響を防ぐことができる。
【００１７】
コイル２６は、ＡＭアンテナ１２の給電端子１２ａに近い位置に設置することが望ましい。その理由は、ＡＭリード線１２ｂとＦＭリード線１４ｂとは近接して配置されるため容量結合が発生し、コイル２６と給電端子１２ａとの間のＡＭリード線１２ｂと、ＦＭリード線１４ｂとの間に結合容量が存在すると、ＡＭアンテナにより受信された高周波がコイルにより遮断される前に、その結合容量を経て、ＦＭリード線１４ｂに接続されてしまうからである。したがって、コイル２６を２入力増幅器２２内に設置しても効果はほとんど得られない。
【００１８】
ＡＭ帯域は５００ｋＨｚ〜１．６ＭＨｚ、ＦＭ帯域は７６ＭＨｚ〜９０ＭＨｚ（日本）および８８ＭＨｚ〜１０８ＭＨｚ（外国）である。ＡＭリード線１２ｂを高周波的に開放させるためには、コイル２６はＦＭ帯域に対し高インピーダンスとなるようなインダクタンスを有するようにしなければならない。
【００１９】
有効なインダクタンス値を実験により求めた。ＡＭアンテナ１２は、長さが約１００ｃｍの直線状導体を２０ｍｍの間隔で９本平行に配置して片側を接続したフォーク形状のものとした。ＦＭアンテナ１４は、約２７ｃｍの１本の直線状導体で構成した。ＡＭアンテナ１２とデフォッガ１６との間の距離は約３ｃｍ、ＦＭアンテナ１４とデフォッガ１６との間の距離は約０．５ｃｍとした。
【００２０】
コイル２６が挿入されたＡＭリード線１２ｂの長さは２４５ｍｍ、ＦＭリード線１４ｂの長さは、２００ｍｍである。給電端子１２ａからコイル２６間でのＡＭリード線１２ｂの長さは４０ｍｍである。なお、コイル２６が挿入されたＡＭリード線１２ｂについては、後に、図１７に基づいて説明する。
【００２１】
以上のようなガラスアンテナ装置を設けた車両を電波暗室内に入れ、ほぼ水平方向（仰角約２°）から到来するＦＭ波に対し、車両を３６０°回転させて、感度および指向特性を測定した。コイル２６のインダクタンスＬは、０．６８μＨ，１．０μＨ，２．２μＨ，３．９μＨ，６．８μＨ，８．２μＨについてそれぞれ感度および指向性を測定した。比較のために、コイル２６を設けないものについても測定を行った。なお、感度は、ダイポール（＝６０ｄＢ）比感度（ｄＢ）で示す。ＦＭ波は、８８ＭＨｚ〜１０８ＭＨｚまでを１ＭＨｚきざみで変更して行った。
【００２２】
図３Ａ〜図３Ｕは、コイルを設けない場合の感度および指向性を示す。測定値からわかるように、コイル無しのガラスアンテナ装置の場合、指向性の落ち込みが見られる。
【００２３】
図４Ａ〜図４Ｕは、コイル２６のインダクタンスＬが０．６８μＨである場合の感度および指向性の測定結果を示す。
【００２４】
図５Ａ〜図５Ｕは、コイル２６のインダクタンスＬが１．０μＨである場合の感度および指向性の測定結果を示す。
【００２５】
図６Ａ〜図６Ｕは、コイル２６のインダクタンスＬが２．２μＨである場合の感度および指向性の測定結果を示す。
【００２６】
図７Ａ〜図７Ｕは、コイル２６のインダクタンスＬが３．９μＨである場合の感度および指向性の測定結果を示す。
【００２７】
図８Ａ〜図８Ｕは、コイル２６のインダクタンスＬが６．８μＨである場合の感度および指向性の測定結果を示す。
【００２８】
図９Ａ〜図９Ｕは、コイル２６のインダクタンスＬが８．２μＨである場合の感度および指向性の測定結果を示す。
【００２９】
以上の測定結果をグラフに表したものを、図１０〜図１６に示す。また、測定結果を表に示したものを表１に示す。
【００３０】
【表１】
2006033498.tif 000003
【００３１】
図１０〜図１６および表１において、最小値は、指向性の落込み値を示している。３１ｄＢを境にして指向性の良し悪しを識別すると、Ｌ＝１．０〜６．８μＨが望ましいことがわかる。
【００３２】
次に、コイル２６を挿入したリード線１２ｂの具体的な構造を説明する。図１７は、ガラスエポキシ基板４０上に、コイル素子４２を半田付けにより実装し、リード線１２ｂ間に挿入された構造を示している。４２ａ，４２ｂは半田付けした部分を示す。一例として、半田付け部分４２ａからコネクタ４４へ到るリード線１２ｂの長さは３５ｍｍ、半田付け部分４２ｂから増幅器２８へ到るリード線１２ｂの長さは１９０ｍｍである。また、コイル４２の長さは、５ｍｍである。リード線１２ｂのアンテナ側はコネクタ４４に接続されている。コネクタ４４は、ＡＭ給電端子１２ａに設けられたコネクタに接続される。
【００３３】
図１８は、コイル実装の他の例を示す。リアガラス１０上に端子ベース４６を設置し、端子ベース４６とＡＭ給電端子１４ａとの間にコイル素子４２を半田付けする。端子ベース４６からは、ＡＭリード線１２ｂが引き出される。
【００３４】
図１９は、コイル実装の他の例を示す。リアガラス１０上に、ＡＭアンテナ用のコイル付き給電端子４８を取付ける。コイル付き給電端子は、１個の端子ベース５０にコイル素子４２を実装した端子である。
【図面の簡単な説明】
【００３５】
【図１】従来の車両用ガラスアンテナ装置を示す図である。
【図２】本発明の車両用ガラスアンテナ装置の一実施例を示す図である。
【図３Ａ】コイルなしの場合の指向性の測定結果を示す図である。
【図３Ｂ】コイルなしの場合の指向性の測定結果を示す図である。
【図３Ｃ】コイルなしの場合の指向性の測定結果を示す図である。
【図３Ｄ】コイルなしの場合の指向性の測定結果を示す図である。
【図３Ｅ】コイルなしの場合の指向性の測定結果を示す図である。
【図３Ｆ】コイルなしの場合の指向性の測定結果を示す図である。
【図３Ｇ】コイルなしの場合の指向性の測定結果を示す図である。
【図３Ｈ】コイルなしの場合の指向性の測定結果を示す図である。
【図３Ｉ】コイルなしの場合の指向性の測定結果を示す図である。
【図３Ｊ】コイルなしの場合の指向性の測定結果を示す図である。
【図３Ｋ】コイルなしの場合の指向性の測定結果を示す図である。
【図３Ｌ】コイルなしの場合の指向性の測定結果を示す図である。
【図３Ｍ】コイルなしの場合の指向性の測定結果を示す図である。
【図３Ｎ】コイルなしの場合の指向性の測定結果を示す図である。
【図３Ｏ】コイルなしの場合の指向性の測定結果を示す図である。
【図３Ｐ】コイルなしの場合の指向性の測定結果を示す図である。
【図３Ｑ】コイルなしの場合の指向性の測定結果を示す図である。
【図３Ｒ】コイルなしの場合の指向性の測定結果を示す図である。
【図３Ｓ】コイルなしの場合の指向性の測定結果を示す図である。
【図３Ｔ】コイルなしの場合の指向性の測定結果を示す図である。
【図３Ｕ】コイルなしの場合の指向性の測定結果を示す図である。
【図４Ａ】Ｌ＝０．６８μＨの場合の指向性の測定結果を示す図である。
【図４Ｂ】Ｌ＝０．６８μＨの場合の指向性の測定結果を示す図である。
【図４Ｃ】Ｌ＝０．６８μＨの場合の指向性の測定結果を示す図である。
【図４Ｄ】Ｌ＝０．６８μＨの場合の指向性の測定結果を示す図である。
【図４Ｅ】Ｌ＝０．６８μＨの場合の指向性の測定結果を示す図である。
【図４Ｆ】Ｌ＝０．６８μＨの場合の指向性の測定結果を示す図である。
【図４Ｇ】Ｌ＝０．６８μＨの場合の指向性の測定結果を示す図である。
【図４Ｈ】Ｌ＝０．６８μＨの場合の指向性の測定結果を示す図である。
【図４Ｉ】Ｌ＝０．６８μＨの場合の指向性の測定結果を示す図である。
【図４Ｊ】Ｌ＝０．６８μＨの場合の指向性の測定結果を示す図である。
【図４Ｋ】Ｌ＝０．６８μＨの場合の指向性の測定結果を示す図である。
【図４Ｌ】Ｌ＝０．６８μＨの場合の指向性の測定結果を示す図である。
【図４Ｍ】Ｌ＝０．６８μＨの場合の指向性の測定結果を示す図である。
【図４Ｎ】Ｌ＝０．６８μＨの場合の指向性の測定結果を示す図である。
【図４Ｏ】Ｌ＝０．６８μＨの場合の指向性の測定結果を示す図である。
【図４Ｐ】Ｌ＝０．６８μＨの場合の指向性の測定結果を示す図である。
【図４Ｑ】Ｌ＝０．６８μＨの場合の指向性の測定結果を示す図である。
【図４Ｒ】Ｌ＝０．６８μＨの場合の指向性の測定結果を示す図である。
【図４Ｓ】Ｌ＝０．６８μＨの場合の指向性の測定結果を示す図である。
【図４Ｔ】Ｌ＝０．６８μＨの場合の指向性の測定結果を示す図である。
【図４Ｕ】Ｌ＝０．６８μＨの場合の指向性の測定結果を示す図である。
【図５Ａ】Ｌ＝１．０μＨの場合の指向性の測定結果を示す図である。
【図５Ｂ】Ｌ＝１．０μＨの場合の指向性の測定結果を示す図である。
【図５Ｃ】Ｌ＝１．０μＨの場合の指向性の測定結果を示す図である。
【図５Ｄ】Ｌ＝１．０μＨの場合の指向性の測定結果を示す図である。
【図５Ｅ】Ｌ＝１．０μＨの場合の指向性の測定結果を示す図である。
【図５Ｆ】Ｌ＝１．０μＨの場合の指向性の測定結果を示す図である。
【図５Ｇ】Ｌ＝１．０μＨの場合の指向性の測定結果を示す図である。
【図５Ｈ】Ｌ＝１．０μＨの場合の指向性の測定結果を示す図である。
【図５Ｉ】Ｌ＝１．０μＨの場合の指向性の測定結果を示す図である。
【図５Ｊ】Ｌ＝１．０μＨの場合の指向性の測定結果を示す図である。
【図５Ｋ】Ｌ＝１．０μＨの場合の指向性の測定結果を示す図である。
【図５Ｌ】Ｌ＝１．０μＨの場合の指向性の測定結果を示す図である。
【図５Ｍ】Ｌ＝１．０μＨの場合の指向性の測定結果を示す図である。
【図５Ｎ】Ｌ＝１．０μＨの場合の指向性の測定結果を示す図である。
【図５Ｏ】Ｌ＝１．０μＨの場合の指向性の測定結果を示す図である。
【図５Ｐ】Ｌ＝１．０μＨの場合の指向性の測定結果を示す図である。
【図５Ｑ】Ｌ＝１．０μＨの場合の指向性の測定結果を示す図である。
【図５Ｒ】Ｌ＝１．０μＨの場合の指向性の測定結果を示す図である。
【図５Ｓ】Ｌ＝１．０μＨの場合の指向性の測定結果を示す図である。
【図５Ｔ】Ｌ＝１．０μＨの場合の指向性の測定結果を示す図である。
【図５Ｕ】Ｌ＝１．０μＨの場合の指向性の測定結果を示す図である。
【図６Ａ】Ｌ＝２．２μＨの場合の指向性の測定結果を示す図である。
【図６Ｂ】Ｌ＝２．２μＨの場合の指向性の測定結果を示す図である。
【図６Ｃ】Ｌ＝２．２μＨの場合の指向性の測定結果を示す図である。
【図６Ｄ】Ｌ＝２．２μＨの場合の指向性の測定結果を示す図である。
【図６Ｅ】Ｌ＝２．２μＨの場合の指向性の測定結果を示す図である。
【図６Ｆ】Ｌ＝２．２μＨの場合の指向性の測定結果を示す図である。
【図６Ｇ】Ｌ＝２．２μＨの場合の指向性の測定結果を示す図である。
【図６Ｈ】Ｌ＝２．２μＨの場合の指向性の測定結果を示す図である。
【図６Ｉ】Ｌ＝２．２μＨの場合の指向性の測定結果を示す図である。
【図６Ｊ】Ｌ＝２．２μＨの場合の指向性の測定結果を示す図である。
【図６Ｋ】Ｌ＝２．２μＨの場合の指向性の測定結果を示す図である。
【図６Ｌ】Ｌ＝２．２μＨの場合の指向性の測定結果を示す図である。
【図６Ｍ】Ｌ＝２．２μＨの場合の指向性の測定結果を示す図である。
【図６Ｎ】Ｌ＝２．２μＨの場合の指向性の測定結果を示す図である。
【図６Ｏ】Ｌ＝２．２μＨの場合の指向性の測定結果を示す図である。
【図６Ｐ】Ｌ＝２．２μＨの場合の指向性の測定結果を示す図である。
【図６Ｑ】Ｌ＝２．２μＨの場合の指向性の測定結果を示す図である。
【図６Ｒ】Ｌ＝２．２μＨの場合の指向性の測定結果を示す図である。
【図６Ｓ】Ｌ＝２．２μＨの場合の指向性の測定結果を示す図である。
【図６Ｔ】Ｌ＝２．２μＨの場合の指向性の測定結果を示す図である。
【図６Ｕ】Ｌ＝２．２μＨの場合の指向性の測定結果を示す図である。
【図７Ａ】Ｌ＝３．９μＨの場合の指向性の測定結果を示す図である。
【図７Ｂ】Ｌ＝３．９μＨの場合の指向性の測定結果を示す図である。
【図７Ｃ】Ｌ＝３．９μＨの場合の指向性の測定結果を示す図である。
【図７Ｄ】Ｌ＝３．９μＨの場合の指向性の測定結果を示す図である。
【図７Ｅ】Ｌ＝３．９μＨの場合の指向性の測定結果を示す図である。
【図７Ｆ】Ｌ＝３．９μＨの場合の指向性の測定結果を示す図である。
【図７Ｇ】Ｌ＝３．９μＨの場合の指向性の測定結果を示す図である。
【図７Ｈ】Ｌ＝３．９μＨの場合の指向性の測定結果を示す図である。
【図７Ｉ】Ｌ＝３．９μＨの場合の指向性の測定結果を示す図である。
【図７Ｊ】Ｌ＝３．９μＨの場合の指向性の測定結果を示す図である。
【図７Ｋ】Ｌ＝３．９μＨの場合の指向性の測定結果を示す図である。
【図７Ｌ】Ｌ＝３．９μＨの場合の指向性の測定結果を示す図である。
【図７Ｍ】Ｌ＝３．９μＨの場合の指向性の測定結果を示す図である。
【図７Ｎ】Ｌ＝３．９μＨの場合の指向性の測定結果を示す図である。
【図７Ｏ】Ｌ＝３．９μＨの場合の指向性の測定結果を示す図である。
【図７Ｐ】Ｌ＝３．９μＨの場合の指向性の測定結果を示す図である。
【図７Ｑ】Ｌ＝３．９μＨの場合の指向性の測定結果を示す図である。
【図７Ｒ】Ｌ＝３．９μＨの場合の指向性の測定結果を示す図である。
【図７Ｓ】Ｌ＝３．９μＨの場合の指向性の測定結果を示す図である。
【図７Ｔ】Ｌ＝３．９μＨの場合の指向性の測定結果を示す図である。
【図７Ｕ】Ｌ＝３．９μＨの場合の指向性の測定結果を示す図である。
【図８Ａ】Ｌ＝６．８μＨの場合の指向性の測定結果を示す図である。
【図８Ｂ】Ｌ＝６．８μＨの場合の指向性の測定結果を示す図である。
【図８Ｃ】Ｌ＝６．８μＨの場合の指向性の測定結果を示す図である。
【図８Ｄ】Ｌ＝６．８μＨの場合の指向性の測定結果を示す図である。
【図８Ｅ】Ｌ＝６．８μＨの場合の指向性の測定結果を示す図である。
【図８Ｆ】Ｌ＝６．８μＨの場合の指向性の測定結果を示す図である。
【図８Ｇ】Ｌ＝６．８μＨの場合の指向性の測定結果を示す図である。
【図８Ｈ】Ｌ＝６．８μＨの場合の指向性の測定結果を示す図である。
【図８Ｉ】Ｌ＝６．８μＨの場合の指向性の測定結果を示す図である。
【図８Ｊ】Ｌ＝６．８μＨの場合の指向性の測定結果を示す図である。
【図８Ｋ】Ｌ＝６．８μＨの場合の指向性の測定結果を示す図である。
【図８Ｌ】Ｌ＝６．８μＨの場合の指向性の測定結果を示す図である。
【図８Ｍ】Ｌ＝６．８μＨの場合の指向性の測定結果を示す図である。
【図８Ｎ】Ｌ＝６．８μＨの場合の指向性の測定結果を示す図である。
【図８Ｏ】Ｌ＝６．８μＨの場合の指向性の測定結果を示す図である。
【図８Ｐ】Ｌ＝６．８μＨの場合の指向性の測定結果を示す図である。
【図８Ｑ】Ｌ＝６．８μＨの場合の指向性の測定結果を示す図である。
【図８Ｒ】Ｌ＝６．８μＨの場合の指向性の測定結果を示す図である。
【図８Ｓ】Ｌ＝６．８μＨの場合の指向性の測定結果を示す図である。
【図８Ｔ】Ｌ＝６．８μＨの場合の指向性の測定結果を示す図である。
【図８Ｕ】Ｌ＝６．８μＨの場合の指向性の測定結果を示す図である。
【図９Ａ】Ｌ＝８．２μＨの場合の指向性の測定結果を示す図である。
【図９Ｂ】Ｌ＝８．２μＨの場合の指向性の測定結果を示す図である。
【図９Ｃ】Ｌ＝８．２μＨの場合の指向性の測定結果を示す図である。
【図９Ｄ】Ｌ＝８．２μＨの場合の指向性の測定結果を示す図である。
【図９Ｅ】Ｌ＝８．２μＨの場合の指向性の測定結果を示す図である。
【図９Ｆ】Ｌ＝８．２μＨの場合の指向性の測定結果を示す図である。
【図９Ｇ】Ｌ＝８．２μＨの場合の指向性の測定結果を示す図である。
【図９Ｈ】Ｌ＝８．２μＨの場合の指向性の測定結果を示す図である。
【図９Ｉ】Ｌ＝８．２μＨの場合の指向性の測定結果を示す図である。
【図９Ｊ】Ｌ＝８．２μＨの場合の指向性の測定結果を示す図である。
【図９Ｋ】Ｌ＝８．２μＨの場合の指向性の測定結果を示す図である。
【図９Ｌ】Ｌ＝８．２μＨの場合の指向性の測定結果を示す図である。
【図９Ｍ】Ｌ＝８．２μＨの場合の指向性の測定結果を示す図である。
【図９Ｎ】Ｌ＝８．２μＨの場合の指向性の測定結果を示す図である。
【図９Ｏ】Ｌ＝８．２μＨの場合の指向性の測定結果を示す図である。
【図９Ｐ】Ｌ＝８．２μＨの場合の指向性の測定結果を示す図である。
【図９Ｑ】Ｌ＝８．２μＨの場合の指向性の測定結果を示す図である。
【図９Ｒ】Ｌ＝８．２μＨの場合の指向性の測定結果を示す図である。
【図９Ｓ】Ｌ＝８．２μＨの場合の指向性の測定結果を示す図である。
【図９Ｔ】Ｌ＝８．２μＨの場合の指向性の測定結果を示す図である。
【図９Ｕ】Ｌ＝８．２μＨの場合の指向性の測定結果を示す図である。
【図１０】コイルなしの場合の感度の測定結果を示す図である。
【図１１】Ｌ＝０．６８μＨの場合の感度の測定結果を示す図である。
【図１２】Ｌ＝１．０μＨの場合の感度の測定結果を示す図である。
【図１３】Ｌ＝２．２μＨの場合の感度の測定結果を示す図である。
【図１４】Ｌ＝３．９μＨの場合の感度の測定結果を示す図である。
【図１５】Ｌ＝６．８μＨの場合の感度の測定結果を示す図である。
【図１６】Ｌ＝８．２μＨの場合の感度の測定結果を示す図である。
【図１７】コイル素子の実装の一例を示す図である。
【図１８】コイル素子の実装の他の例を示す図である。
【図１９】コイル素子の実装のさらに他の例を示す図である。
【符号の説明】
【００３６】
１０  リアガラス
１２  ＡＭアンテナ
１２ａ，１４ａ  給電端子
１２ｂ，１４ｂ  リード線
１４  ＦＭアンテナ
１６  防曇用デフォッガ
１６ａ，１６ｂ  バスバー
１６ｃ  熱線
１８ａ，１８ｂ  チョークコイル
２０  直流電源
２２  ２入力増幅器
２４  同軸ケーブル
２６  コイル
４０  ガラスエポキシ基板
４２  コイル素子
４６  端子ベース
【図１】
2006033498.tif 000004
【図２】
2006033498.tif 000005
【図３Ａ】
2006033498.tif 000006
【図３Ｂ】
2006033498.tif 000007
【図３Ｃ】
2006033498.tif 000008
【図３Ｄ】
2006033498.tif 000009
【図３Ｅ】
2006033498.tif 000010
【図３Ｆ】
2006033498.tif 000011
【図３Ｇ】
2006033498.tif 000012
【図３Ｈ】
2006033498.tif 000013
【図３Ｉ】
2006033498.tif 000014
【図３Ｊ】
2006033498.tif 000015
【図３Ｋ】
2006033498.tif 000016
【図３Ｌ】
2006033498.tif 000017
【図３Ｍ】
2006033498.tif 000018
【図３Ｎ】
2006033498.tif 000019
【図３Ｏ】
2006033498.tif 000020
【図３Ｐ】
2006033498.tif 000021
【図３Ｑ】
2006033498.tif 000022
【図３Ｒ】
2006033498.tif 000023
【図３Ｓ】
2006033498.tif 000024
【図３Ｔ】
2006033498.tif 000025
【図３Ｕ】
2006033498.tif 000026
【図４Ａ】
2006033498.tif 000027
【図４Ｂ】
2006033498.tif 000028
【図４Ｃ】
2006033498.tif 000029
【図４Ｄ】
2006033498.tif 000030
【図４Ｅ】
2006033498.tif 000031
【図４Ｆ】
2006033498.tif 000032
【図４Ｇ】
2006033498.tif 000033
【図４Ｈ】
2006033498.tif 000034
【図４Ｉ】
2006033498.tif 000035
【図４Ｊ】
2006033498.tif 000036
【図４Ｋ】
2006033498.tif 000037
【図４Ｌ】
2006033498.tif 000038
【図４Ｍ】
2006033498.tif 000039
【図４Ｎ】
2006033498.tif 000040
【図４Ｏ】
2006033498.tif 000041
【図４Ｐ】
2006033498.tif 000042
【図４Ｑ】
2006033498.tif 000043
【図４Ｒ】
2006033498.tif 000044
【図４Ｓ】
2006033498.tif 000045
【図４Ｔ】
2006033498.tif 000046
【図４Ｕ】
2006033498.tif 000047
【図５Ａ】
2006033498.tif 000048
【図５Ｂ】
2006033498.tif 000049
【図５Ｃ】
2006033498.tif 000050
【図５Ｄ】
2006033498.tif 000051
【図５Ｅ】
2006033498.tif 000052
【図５Ｆ】
2006033498.tif 000053
【図５Ｇ】
2006033498.tif 000054
【図５Ｈ】
2006033498.tif 000055
【図５Ｉ】
2006033498.tif 000056
【図５Ｊ】
2006033498.tif 000057
【図５Ｋ】
2006033498.tif 000058
【図５Ｌ】
2006033498.tif 000059
【図５Ｍ】
2006033498.tif 000060
【図５Ｎ】
2006033498.tif 000061
【図５Ｏ】
2006033498.tif 000062
【図５Ｐ】
2006033498.tif 000063
【図５Ｑ】
2006033498.tif 000064
【図５Ｒ】
2006033498.tif 000065
【図５Ｓ】
2006033498.tif 000066
【図５Ｔ】
2006033498.tif 000067
【図５Ｕ】
2006033498.tif 000068
【図６Ａ】
2006033498.tif 000069
【図６Ｂ】
2006033498.tif 000070
【図６Ｃ】
2006033498.tif 000071
【図６Ｄ】
2006033498.tif 000072
【図６Ｅ】
2006033498.tif 000073
【図６Ｆ】
2006033498.tif 000074
【図６Ｇ】
2006033498.tif 000075
【図６Ｈ】
2006033498.tif 000076
【図６Ｉ】
2006033498.tif 000077
【図６Ｊ】
2006033498.tif 000078
【図６Ｋ】
2006033498.tif 000079
【図６Ｌ】
2006033498.tif 000080
【図６Ｍ】
2006033498.tif 000081
【図６Ｎ】
2006033498.tif 000082
【図６Ｏ】
2006033498.tif 000083
【図６Ｐ】
2006033498.tif 000084
【図６Ｑ】
2006033498.tif 000085
【図６Ｒ】
2006033498.tif 000086
【図６Ｓ】
2006033498.tif 000087
【図６Ｔ】
2006033498.tif 000088
【図６Ｕ】
2006033498.tif 000089
【図７Ａ】
2006033498.tif 000090
【図７Ｂ】
2006033498.tif 000091
【図７Ｃ】
2006033498.tif 000092
【図７Ｄ】
2006033498.tif 000093
【図７Ｅ】
2006033498.tif 000094
【図７Ｆ】
2006033498.tif 000095
【図７Ｇ】
2006033498.tif 000096
【図７Ｈ】
2006033498.tif 000097
【図７Ｉ】
2006033498.tif 000098
【図７Ｊ】
2006033498.tif 000099
【図７Ｋ】
2006033498.tif 000100
【図７Ｌ】
2006033498.tif 000101
【図７Ｍ】
2006033498.tif 000102
【図７Ｎ】
2006033498.tif 000103
【図７Ｏ】
2006033498.tif 000104
【図７Ｐ】
2006033498.tif 000105
【図７Ｑ】
2006033498.tif 000106
【図７Ｒ】
2006033498.tif 000107
【図７Ｓ】
2006033498.tif 000108
【図７Ｔ】
2006033498.tif 000109
【図７Ｕ】
2006033498.tif 000110
【図８Ａ】
2006033498.tif 000111
【図８Ｂ】
2006033498.tif 000112
【図８Ｃ】
2006033498.tif 000113
【図８Ｄ】
2006033498.tif 000114
【図８Ｅ】
2006033498.tif 000115
【図８Ｆ】
2006033498.tif 000116
【図８Ｇ】
2006033498.tif 000117
【図８Ｈ】
2006033498.tif 000118
【図８Ｉ】
2006033498.tif 000119
【図８Ｊ】
2006033498.tif 000120
【図８Ｋ】
2006033498.tif 000121
【図８Ｌ】
2006033498.tif 000122
【図８Ｍ】
2006033498.tif 000123
【図８Ｎ】
2006033498.tif 000124
【図８Ｏ】
2006033498.tif 000125
【図８Ｐ】
2006033498.tif 000126
【図８Ｑ】
2006033498.tif 000127
【図８Ｒ】
2006033498.tif 000128
【図８Ｓ】
2006033498.tif 000129
【図８Ｔ】
2006033498.tif 000130
【図８Ｕ】
2006033498.tif 000131
【図９Ａ】
2006033498.tif 000132
【図９Ｂ】
2006033498.tif 000133
【図９Ｃ】
2006033498.tif 000134
【図９Ｄ】
2006033498.tif 000135
【図９Ｅ】
2006033498.tif 000136
【図９Ｆ】
2006033498.tif 000137
【図９Ｇ】
2006033498.tif 000138
【図９Ｈ】
2006033498.tif 000139
【図９Ｉ】
2006033498.tif 000140
【図９Ｊ】
2006033498.tif 000141
【図９Ｋ】
2006033498.tif 000142
【図９Ｌ】
2006033498.tif 000143
【図９Ｍ】
2006033498.tif 000144
【図９Ｎ】
2006033498.tif 000145
【図９Ｏ】
2006033498.tif 000146
【図９Ｐ】
2006033498.tif 000147
【図９Ｑ】
2006033498.tif 000148
【図９Ｒ】
2006033498.tif 000149
【図９Ｓ】
2006033498.tif 000150
【図９Ｔ】
2006033498.tif 000151
【図９Ｕ】
2006033498.tif 000152
【図１０】
2006033498.tif 000153
【図１１】
2006033498.tif 000154
【図１２】
2006033498.tif 000155
【図１３】
2006033498.tif 000156
【図１４】
2006033498.tif 000157
【図１５】
2006033498.tif 000158
【図１６】
2006033498.tif 000159
【図１７】
2006033498.tif 000160
【図１８】
2006033498.tif 000161
【図１９】
2006033498.tif 000162